(57)【要約】【課題】導光板が収容される筐体と拡散板とが拡散板の角部においてネジで互いに固定されていても、拡散板の角部の輝度の低下を抑制して、輝度斑を抑制することが可能な照明装置を提供する。【解決手段】照明装置１は、導光板２と、導光板２の端面に臨むように配置されるＬＥＤ３と、ＬＥＤ３が収容される収容部８ａと、収容部８ａに固定される拡散板６と、収容部８ａと拡散板６とを固定するネジ１４とを備えている。収容部８ａには、導光板２の厚さ方向とＺ方向とが一致するように導光板２が収容され、拡散板６は、拡散板６の厚さ方向とＺ方向とが一致するように配置されている。Ｚ方向から見たときに、導光板２の角部と拡散板６の角部とが重なっており、ネジ１４は、導光板２の角部に配置されている。導光板２の角部には、切欠き部２ｈ、２ｊが導光板２の角を切り欠くように形成されており、切欠き部２ｈ、２ｊには、ネジ１４の軸部の一部が配置されている。【選択図】図２
2018098120.tif 000002
【特許請求の範囲】
【請求項１】
多角形の板状に形成される導光板と、前記導光板の端面に臨むように配置されるＬＥＤと、扁平な箱状に形成される収容部を有する筐体と、前記導光板と略相似形の多角形の板状に形成され前記筐体に固定される拡散板と、前記筐体と前記拡散板とを固定するための複数のネジとを備え、
前記収容部の扁平方向の一方の面は、開口しており、
前記収容部には、前記ＬＥＤが収容されるとともに、前記導光板の厚さ方向と前記扁平方向とが一致するように前記導光板が収容され、
前記拡散板は、前記拡散板の厚さ方向と前記扁平方向とが一致するように配置されるとともに、前記開口を塞ぐように前記収容部に固定され、
前記扁平方向から見たときに、前記導光板の角部と前記拡散板の角部とが重なっており、
複数の前記ネジのうちの少なくとも１本の前記ネジは、前記導光板および前記拡散板の角部に配置され、
前記ネジが配置される前記導光板の角部には、前記ネジの軸部と前記導光板との接触を防止するための切欠き部が少なくとも前記導光板の角を切り欠くように形成され、
前記切欠き部には、前記ネジの軸部の一部が配置されていることを特徴とする照明装置。
【請求項２】
前記切欠き部は、前記導光板の中心側に向かって窪んでいることを特徴とする請求項１記載の照明装置。
【請求項３】
前記切欠き部の側面の少なくとも一部は、凹曲面状に形成されていることを特徴とする請求項２記載の照明装置。
【請求項４】
前記切欠き部の側面には、前記扁平方向から見たときの形状が１／４円弧状の凹曲面となる曲面部と、前記曲面部の端部に繋がるとともに前記導光板の端面に直交するように繋がる平面状の平面部とが含まれていることを特徴とする請求項３記載の照明装置。
【請求項５】
前記導光板は、長方形または正方形の板状に形成され、
前記拡散板は、前記導光板と略相似形の長方形または正方形の板状に形成され、
前記収容部と前記拡散板とは、前記拡散板の四隅のそれぞれにおいて前記ネジによって互いに固定され、
前記導光板の４個の角部のそれぞれに前記切欠き部が形成され、
前記扁平方向に直交する方向であって長方形または正方形状に形成される前記導光板の一辺に沿う方向を第１方向とし、前記扁平方向と前記第１方向とに直交する方向を第２方向とすると、
前記第１方向の一方側に配置される２本の前記ネジの前記第２方向のピッチと、前記第１方向の他方側に配置される２本の前記ネジの前記第２方向のピッチとが異なっていることを特徴とする請求項１から４のいずれかに照明装置。
【発明の詳細な説明】
【技術分野】
【０００１】
本発明は、照明装置に関する。
【背景技術】
【０００２】
光射出面の明るさが周縁部も含めて全体的に均一になるように設計された平板状の照明装置が本出願人によって提案されている（たとえば、特許文献１参照）。特許文献１に記載の照明装置は、正方形状に形成されている。また、この照明装置は、正方形状の導光板と、導光板の端面に向かって光を射出する複数のＬＥＤ光源と、ＬＥＤ光源が実装されるＬＥＤ基板と、ＬＥＤ基板を支持するフレームと、導光板の厚さ方向における導光板の一方側に配置され導光板が発する光を拡散する正方形状の拡散板と、導光板の厚さ方向における導光板の他方側に配置される反射板とを備えている。
【０００３】
特許文献１に記載の照明装置では、フレームは、導光板の端面に対向するように配置される基部と、導光板の厚さ方向における基部の両端から導光板に向かって延びる２個の光遮蔽部とを備えている。このフレームは、２個の光遮蔽部の間に導光板と反射板とを挟んだ状態で導光板および反射板に固定されており、ＬＥＤ基板は、導光板の端面と基部との間に配置されている。導光板には、導光板および反射板にフレームを固定するためのネジの軸部が挿通される貫通穴が形成されている。
【０００４】
また、特許文献１に記載の照明装置では、ＬＥＤ基板、導光板、反射板およびフレームは、保持ケースに収容されている。保持ケースは、導光板の厚さ方向における一方側が開口する箱状に形成されている。拡散板は、保持ケースの開口を塞ぐように、フレームの光遮蔽部および保持ケースに固定されている。また、拡散板は、接着剤によって光遮蔽部に固定されている。
【先行技術文献】
【特許文献】
【０００５】
【特許文献１】特開２０１４−１５００４９号公報
【発明の概要】
【発明が解決しようとする課題】
【０００６】
本願発明者は、特許文献１に記載された照明装置のように、導光板と、拡散板と、導光板が収容される筐体とを備える照明装置において、照明装置の組立作業を簡素化するために、導光板が収容される筐体と拡散板とをネジで互いに固定することを検討している。具体的には、正方形状に形成される拡散板の角部（すなわち、照明装置の角部）において、拡散板と筐体とをネジで互いに固定することを検討している。
【０００７】
この場合、導光板の角部および筐体の角部にネジの軸部が挿通される貫通穴を形成するとともに、ネジの軸部に形成されるオネジがねじ込まれるネジ穴を拡散板の角部に形成すれば良い。しかしながら、本願発明者の検討によると、拡散板の角部と重なる導光板の角部に、ネジの軸部が挿通される貫通穴が形成されていると、拡散板の角部が暗くなって、照明装置に輝度斑が生じやすくなることが明らかになった。
【０００８】
そこで、本発明の課題は、導光板が収容される筐体と拡散板とが拡散板の角部においてネジで互いに固定されていても、拡散板の角部の輝度の低下を抑制して、輝度斑を抑制することが可能な照明装置を提供することにある。
【課題を解決するための手段】
【０００９】
上記の課題を解決するため、本願発明者は、ネジが配置される拡散板の角部と重なっている導光板の角部の形状について種々の検討を行った。その結果、本願発明者は、拡散板の角部と重なる導光板の角部に、ネジの軸部の全周を囲まないように切欠き部が形成されていれば、拡散板の角部の輝度の低下を抑制して、照明装置の輝度斑を抑制できることを知見するに至った。
【００１０】
本発明の照明装置は、かかる新たな知見に基づくものであり、多角形の板状に形成される導光板と、導光板の端面に臨むように配置されるＬＥＤと、扁平な箱状に形成される収容部を有する筐体と、導光板と略相似形の多角形の板状に形成され筐体に固定される拡散板と、筐体と拡散板とを固定するための複数のネジとを備え、収容部の扁平方向の一方の面は、開口しており、収容部には、ＬＥＤが収容されるとともに、導光板の厚さ方向と扁平方向とが一致するように導光板が収容され、拡散板は、拡散板の厚さ方向と扁平方向とが一致するように配置されるとともに、開口を塞ぐように収容部に固定され、扁平方向から見たときに、導光板の角部と拡散板の角部とが重なっており、複数のネジのうちの少なくとも１本のネジは、導光板および拡散板の角部に配置され、ネジが配置される導光板の角部には、ネジの軸部と導光板との接触を防止するための切欠き部が少なくとも導光板の角を切り欠くように形成され、切欠き部には、ネジの軸部の一部が配置されていることを特徴とする。
【００１１】
本発明の照明装置では、ネジが配置される導光板の角部に、ネジの軸部と導光板との接触を防止するための切欠き部が少なくとも導光板の角を切り欠くように形成されており、切欠き部に、ネジの軸部の一部が配置されている。すなわち、本発明では、導光板の角部に形成されネジの軸部の一部が配置される切欠き部が、ネジの軸部の全周を囲まないように形成されている。そのため、本発明では、扁平方向から見たときに、ネジが配置された導光板の角部と重なる拡散板の角部の輝度の低下を抑制することが可能になる。したがって、本発明では、導光板が収容される筐体と拡散板とが拡散板の角部においてネジで互いに固定されていても、拡散板の角部の輝度の低下を抑制して、照明装置の輝度斑を抑制することが可能になる。
【００１２】
本発明において、切欠き部は、導光板の中心側に向かって窪んでいることが好ましい。このように構成すると、導光板の角部にＣ面取り加工を行うことで、導光板の角部に切欠き部が形成されている場合と比較して、ネジの軸部と導光板との接触を防止するための切欠き部の切欠き量を小さくすることが可能になる。したがって、導光板の角部から拡散板の角部に向かって射出される光量の低下を抑制することが可能になり、その結果、拡散板の角部の輝度の低下を効果的に抑制することが可能になる。
【００１３】
本発明において、切欠き部の側面の少なくとも一部は、凹曲面状に形成されていることが好ましい。本願発明者の検討によると、切欠き部の側面が平面のみの組合せで構成されている場合と比較して、切欠き部の側面に凹曲面が含まれていると、拡散板の角部の輝度の低下を効果的に抑制することが可能になる。
【００１４】
本発明において、切欠き部の側面には、扁平方向から見たときの形状が１／４円弧状の凹曲面となる曲面部と、曲面部の端部に繋がるとともに導光板の端面に直交するように繋がる平面状の平面部とが含まれていることが好ましい。このように構成すると、導光板の外周面に鋭利なエッジ部が生じるのを防止することが可能になる。また、このように構成すると、切欠き部の側面が曲面部のみで形成されている場合と比較して、切欠き部の側面の面積を大きくすることが可能になるため、拡散板の角部の輝度の低下をより効果的に抑制することが可能になる。すなわち、このように構成すると、導光板の外周面に鋭利なエッジ部が生じるのを防止しつつ、拡散板の角部の輝度の低下をより効果的に抑制することが可能になる。
【００１５】
本発明において、導光板は、長方形または正方形の板状に形成され、拡散板は、導光板と略相似形の長方形または正方形の板状に形成され、収容部と拡散板とは、拡散板の四隅のそれぞれにおいてネジによって互いに固定され、導光板の４個の角部のそれぞれに切欠き部が形成され、扁平方向に直交する方向であって長方形または正方形状に形成される導光板の一辺に沿う方向を第１方向とし、扁平方向と第１方向とに直交する方向を第２方向とすると、第１方向の一方側に配置される２本のネジの第２方向のピッチと、第１方向の他方側に配置される２本のネジの第２方向のピッチとが異なっていることが好ましい。このように構成すると、収容部に対して拡散板を正しい向きで固定することが可能になる。すなわち、収容部に対する拡散板の組み間違いを防止することが可能になる。
【発明の効果】
【００１６】
以上のように、本発明の照明装置では、導光板が収容される筐体と拡散板とが拡散板の角部においてネジで互いに固定されていても、拡散板の角部の輝度の低下を抑制して、照明装置の輝度斑を抑制することが可能になる。
【図面の簡単な説明】
【００１７】
【図１】本発明の実施の形態にかかる照明装置の斜視図である。
【図２】図１に示す照明装置の分解斜視図である。
【図３】図１に示す照明装置の断面図である。
【図４】図２に示す拡散板を反対側から示す斜視図である。
【図５】図２に示す筺体等の斜視図である。
【図６】図２に示す筺体の収容部に基板組が取り付けられた状態を説明するための平面図である。
【図７】図２に示す基板組を反対側から示す斜視図である。
【図８】図２に示す導光板の構成を説明するための平面図である。
【図９】（Ａ）は、図８のＥ部の拡大図であり、（Ｂ）は、図８のＦ部の拡大図であり、（Ｃ）は、図８のＧ部の拡大図であり、（Ｄ）は、図８のＨ部の拡大図である。
【図１０】（Ａ）は、図３のＪ部の拡大図であり、（Ｂ）は、図３のＫ部の拡大図である。
【図１１】（Ａ）は、図１に示す照明装置の右端部の構成を説明するための断面図であり、（Ｂ）は、図１に示す照明装置の左端部の構成を説明するための断面図である。
【発明を実施するための形態】
【００１８】
以下、図面を参照しながら、本発明の実施の形態を説明する。
【００１９】
（照明装置の概略構成）
図１は、本発明の実施の形態にかかる照明装置１の斜視図である。図２は、図１に示す照明装置１の分解斜視図である。図３は、図１に示す照明装置１の断面図である。
【００２０】
本形態の照明装置１は、照明装置１の光射出面６ａの明るさが周縁部も含めて全体的に均一となるように設計された発光装置である。この照明装置１は、全体として略平板状に形成されている。また、平面状に形成される光射出面６ａに直交する方向から見たときの照明装置１の形状は、正方形状となっている。
【００２１】
以下の説明では、光射出面６ａに直交する方向（図１等のＺ方向）を「上下方向」とし、上下方向に直交する方向であって正方形状をなす照明装置１の一辺に平行な方向（図１等のＸ方向）を「前後方向」とし、上下方向と前後方向とに直交する方向（図１等のＹ方向）を「左右方向」とする。また、上下方向のうちの光射出面６ａ側（図１等のＺ１方向側）を「上」側とし、その反対側である図１等のＺ２方向側を「下」側とし、前後方向の一方側である図１等のＸ１方向側を「前」側とし、その反対側である図１等のＸ２方向側を「後ろ」側とし、左右方向の一方側である図１等のＹ１方向側を「右」側とし、その反対側である図１等のＹ２方向側を「左」側とする。
【００２２】
照明装置１は、導光板２と、導光板２に向かって光を射出する複数のＬＥＤ（Ｌｉｇｈｔ  Ｅｍｉｔｔｉｎｇ  Ｄｉｏｄｅ）３と、２個の基板４、５と、導光板２の上側に配置され導光板２が発する光を拡散する拡散板６と、導光板２が発する光を反射する反射板７とを備えている。また、照明装置１は、導光板２等が収容されるとともに拡散板６が固定される筐体８を備えている。
【００２３】
筐体８は、導光板２、ＬＥＤ３、基板４、５および反射板７が収容される収容部８ａと、接続端子９が取り付けられる端子取付部８ｂとから構成されている。図３に示すように、収容部８ａは、筐体８の上側部分を構成し、端子取付部８ｂは、筐体８の下側部分を構成している。また、筐体８は、アルミニウム合金等の熱伝導率の高い金属によって一体成形にて形成されており、ＬＥＤ３で発生する熱を放散する機能を果たしている。収容部８ａは、上下方向の厚さが薄い扁平な直方体の箱状に形成されている。すなわち、本形態の上下方向（Ｚ方向）は、収容部８ａの扁平方向となっている。また、本形態の上方向（Ｚ１方向）は、扁平方向の一方であり、下方向（Ｚ２方向）は、扁平方向の他方である。
【００２４】
収容部８ａは、収容部８ａの下面を構成する底面部８ｃと、底面部８ｃから上側へ立ち上がるように形成される側壁部８ｄとから構成されており、収容部８ａの上面は、開口している。底面部８ｃは、正方形の平板状に形成されている。側壁部８ｄは、扁平な四角筒状に形成されている。上下方向から見たときの側壁部８ｄの外周面の形状は正方形状となっている。また、側壁部８ｄの外周面は、前後方向または左右方向と平行になっている。側壁部８ｄの外周面は、収容部８ａの外周面を構成している。すなわち、側壁部８ｄは、収容部８ａの外周面を構成している。端子取付部８ｂは、底面部８ｃの中心部から下側に向かって突出している。底面部８ｃの中心には、上下方向に貫通する貫通穴が形成されている。収容部８ａの詳細な構成については後述する。
【００２５】
導光板２は、光透過率の高いアクリル系樹脂によって形成されている。また、導光板２は、球形粒子である光散乱粒子が多数含有された光散乱導光体であり、導光板２に入射した光は、導光板２の中で光散乱粒子によって散乱する。導光板２に含有される光散乱粒子は、たとえば、特開２０１４−１５００４９号公報に開示されたシリコーン粒子によって形成されている。また、導光板２は、正方形の平板状に形成されている。
【００２６】
導光板２は、導光板２の厚さ方向と上下方向とが一致するように収容部８ａに収容されている。導光板２の外周面は、前後方向または左右方向と平行になっている。すなわち、導光板２には、前後方向に直交する２個の端面２ａ、２ｂと、左右方向に直交する２個の端面２ｃ、２ｄが形成されており、導光板２は、端面２ａ、２ｂが左右方向と平行になり、端面２ｃ、２ｄが前後方向と平行になるように収容部８ａに収容されている。本形態では、端面２ａが導光板２の後端面となっており、端面２ｂが導光板２の前端面となっており、端面２ｃが導光板２の右端面となっており、端面２ｄが導光板２の左端面となっている。導光板２の上面は、導光板２の光射出面２ｅとなっている。導光板２の詳細な構成については後述する。
【００２７】
基板５は、ガラスエポキシ基板等のリジッド基板である。この基板５は、長方形の平板状に形成されている。基板５には、ＬＥＤ３の駆動回路が実装されている。以下の説明では、基板５を「ＬＥＤ駆動基板５」とする。基板４は、フレキシブルプリント基板である。この基板４は、複数のＬＥＤ３が実装されるＬＥＤ実装基板４ａと、ＬＥＤ実装基板４ａとＬＥＤ駆動基板５とを接続する接続基板４ｂとから構成されている。本形態では、ＬＥＤ実装基板４ａと接続基板４ｂとＬＥＤ駆動基板５とによって基板組１２が構成されており、基板組１２は、収容部８ａに収容されている。基板組１２の詳細な構成については後述する。
【００２８】
拡散板６は、光透過率の高いアクリル系樹脂またはポリカーボネイトによって形成されている。また、拡散板６は、光散乱粒子が多数含有された光散乱導光体であり、拡散板６に入射した光は、拡散板６の中で光散乱粒子によって散乱する。拡散板６には、導光板２に含有される光散乱粒子と同様の光散乱粒子が含有されている。すなわち、拡散板６に含有される光散乱粒子は、たとえば、特開２０１４−１５００４９号公報に開示されたシリコーン粒子によって形成されている。
【００２９】
拡散板６は、正方形の板状に形成されている。上述のように、導光板２は、正方形の平板状に形成されており、また、拡散板６の外形は、導光板２の外形よりも若干大きくなっている。すなわち、拡散板６の形状は、導光板２の形状の略相似形となっている。拡散板６は、略平板状に形成されており、拡散板６の厚さ方向と上下方向とが一致するように配置されている。また、拡散板６は、筐体８に固定されている。具体的には、拡散板６は、側壁部８ｄの上端に固定されており、収容部８ａの開口を塞いでいる。
【００３０】
また、拡散板６は、４本のネジ１４によって筺体８に固定されている。すなわち、照明装置１は、拡散板６と筺体８とを固定するための４本のネジ１４を備えている。４本のネジ１４のそれぞれは、拡散板６の四隅のそれぞれに配置されている。拡散板６の詳細な構成については後述する。
【００３１】
反射板７は、薄い板状部材を所定形状に折り曲げることで形成されている。この反射板７は、導光板２の下面から射出される光を反射する反射部７ａと、導光板２の端面２ｂから射出される光を反射する反射部７ｂと、導光板２の端面２ｃから射出される光を反射する反射部７ｃと、導光板２の端面２ｄから射出される光を反射する反射部７ｄとから構成されている。反射板７の詳細な構成については後述する。
【００３２】
（拡散板の構成）
図４は、図２に示す拡散板６を反対側から示す斜視図である。
【００３３】
上述のように、拡散板６は、正方形の略平板状に形成されており、拡散板６の厚さ方向と上下方向とが一致するように配置されている。拡散板６の外周面は、前後方向または左右方向と平行になっている。上下方向から見たときに、拡散板６の角部と、導光板２の角部とは重なっている。すなわち、上下方向から見たときに、拡散板６の４個の角部のそれぞれと、導光板２の４個の角部のそれぞれとが重なっている。
【００３４】
拡散板６の上面は、拡散板６の光射出面６ａとなっている。光射出面６ａは、照明装置１の光射出面となっている。拡散板６は、真上から光射出面６ａを見たときに（すなわち、光射出面６ａに対して直交する方向から光射出面６ａを見たときに）、光射出面６ａの外形の中に照明装置１の構成部品が収まる大きさとなっている。また、拡散板６は、導光板２の上側に配置されている。すなわち、拡散板６は、導光板２の光射出面２ｅの側に配置されている。
【００３５】
拡散板６は、導光板２に向かって突出する（すなわち、下側へ突出する）突出部６ｂを備えている。突出部６ｂは、拡散板６の外周面に沿って形成されており、正方形の枠状に形成されている。突出部６ｂの前後方向の内側面は、前後方向に直交する平面となっており、突出部６ｂの左右方向の内側面は、左右方向に直交する平面となっている。突出部６ｂの下面は、上下方向に直交する平面となっている。正方形の枠状に形成される突出部６ｂの下面の、前後方向の内側部分および左右方向の内側部分は、導光板２の光射出面２ｅの、前後方向の外側部分および左右方向の外側部分に接触している。
【００３６】
突出部６ｂの下面の、光射出面２ｅに接触する部分は、光が入射する光入射面となっている。突出部６ｂの内側は、上側に向かって窪む正方形状の凹部６ｆとなっており、拡散板６には、突出部６ｂに囲まれる空間が形成されている。凹部６ｆの底面は、光射出面２ｅから射出された光が入射する光入射面６ｇとなっている。光入射面６ｇは、上下方向に直交する平面となっている。
【００３７】
正方形の枠状に形成される突出部６ｂの下面の四隅には、ネジ１４の軸部の先端に形成されるオネジがねじ込まれるネジ穴６ｃが形成されている。ネジ穴６ｃは、突出部６ｂの下面から上側に向かって窪むように形成されている。後述のように、前側に配置される２本のネジ１４の左右方向のピッチと、後ろ側に配置される２本のネジ１４の左右方向のピッチとが異なっており、突出部６ｂの下面の前端側に形成される２個のネジ穴６ｃのピッチと、突出部６ｂの下面の後端側に形成される２個のネジ穴６ｃのピッチとが異なっている。なお、突出部６ｂの外周端には、下側に向かってさらに突出する第２突出部６ｄが形成されている。第２突出部６ｄは、拡散板６の外周面に沿って形成されており、正方形の枠状に形成されている。
【００３８】
（収容部の構成）
図５は、図２に示す筺体８等の斜視図である。図６は、図２に示す筺体８の収容部８ａに基板組１２が取り付けられた状態を説明するための平面図である。
【００３９】
上述のように、収容部８ａは、上下方向の厚さが薄い扁平な直方体の箱状に形成されており、収容部８ａの上面は、開口している。また、収容部８ａは、底面部８ｃと側壁部８ｄとから構成されている。側壁部８ｄは、収容部８ａの後側面を構成する平板状の側面部８ｅと、収容部８ａの前側面を構成する平板状の側面部８ｆと、収容部８ａの右側面を構成する平板状の側面部８ｇと、収容部８ａの左側面を構成する平板状の側面部８ｈとから構成されている。すなわち、収容部８ａは、底面部８ｃから上側へ立ち上がるように形成される側面部８ｅ〜８ｈを備えている。側壁部８ｄの上端面の内周端には、上側に向かってさらに突出する突出部８ｊが形成されている。突出部８ｊは、側壁部８ｄの内周面に沿って形成されており、正方形の枠状に形成されている。
【００４０】
収容部８ａには、底面部８ｃの上面から上側へ突出する複数のリブ８ｐ〜８ｖが形成されている。リブ８ｐは、底面部８ｃの右後端の角部と左後端の角部との２箇所に形成されている。上下方向から見たときのリブ８ｐの形状は、長方形状となっている。底面部８ｃの右後端の角部に配置されるリブ８ｐの後端は、側面部８ｅに繋がり、このリブ８ｐの右端は、側面部８ｇに繋がっている。また、このリブ８ｐの左側面は、左右方向に直交する平面となっている。底面部８ｃの左後端の角部に配置されるリブ８ｐの後端は、側面部８ｅに繋がり、このリブ８ｐの左端は、側面部８ｈに繋がっている。また、このリブ８ｐの右側面は、左右方向に直交する平面となっている。
【００４１】
リブ８ｑは、底面部８ｃの後端側の２箇所に形成されている。２個のリブ８ｑのうちの一方のリブ８ｑは、底面部８ｃの右後端の角部に配置されるリブ８ｐの前端から左側へ延びる直線状に形成され、他方のリブ８ｑは、底面部８ｃの左後端の角部に配置されるリブ８ｐの前端から右側へ延びる直線状に形成されている。リブ８ｑの側面（前後方向の側面）は、前後方向に直交する平面となっている。２個のリブ８ｑは、前後方向において同じ位置に配置されている。左右方向における２個のリブ８ｑの間（すなわち、右側に配置されるリブ８ｑの左端と左側に配置されるリブ８ｑの右端との間）には隙間が形成されている。
【００４２】
リブ８ｒは、２個のリブ８ｑのそれぞれの前側の２箇所に形成されている。２個のリブ８ｒのうちの一方のリブ８ｒは、側面部８ｇから左側へ延びる直線状に形成され、他方のリブ８ｒは、側面部８ｈから右側へ延びる直線状に形成されている。すなわち、リブ８ｒは、リブ８ｑと平行に形成されている。リブ８ｒの側面（前後方向の側面）は、前後方向に直交する平面となっている。２個のリブ８ｒは、前後方向において同じ位置に配置されている。左右方向における２個のリブ８ｒの間（すなわち、右側に配置されるリブ８ｒの左端と左側に配置されるリブ８ｒの右端との間）には隙間が形成されている。また、リブ８ｑとリブ８ｒとの間には隙間が形成されている。
【００４３】
リブ８ｓは、底面部８ｃの左右方向の両端側の２箇所に形成されている。２個のリブ８ｓのうちの一方のリブ８ｓは、右側に配置されるリブ８ｒの右側寄りから前側へ延びる直線状に形成され、他方のリブ８ｓは、左側に配置されるリブ８ｒの左側寄りから前側へ延びる直線状に形成されている。リブ８ｓの側面（左右方向の側面）は、左右方向に直交する平面となっている。右側に配置されるリブ８ｓと側面部８ｇとの間には隙間が形成され、左側に配置されるリブ８ｓと側面部８ｈとの間には隙間が形成されている。
【００４４】
リブ８ｕは、底面部８ｃの右前端の角部と左前端の角部との２箇所に形成されている（図６参照）。上下方向から見たときのリブ８ｕの形状は、長方形状となっている。底面部８ｃの右前端の角部に配置されるリブ８ｕの前端は、側面部８ｆに繋がり、このリブ８ｕの右端は、側面部８ｇに繋がっている。底面部８ｃの左前端の角部に配置されるリブ８ｕの前端は、側面部８ｆに繋がり、このリブ８ｕの左端は、側面部８ｈに繋がっている。
【００４５】
リブ８ｖは、２個のリブ８ｕの後端同士を繋いでおり、左右方向に平行な直線状に形成されている。リブ８ｖと側面部８ｆとの間には隙間が形成されている。リブ８ｔは、リブ８ｖの後ろ側に形成されている。リブ８ｔは、２個のリブ８ｓの前端同士を繋いでおり、左右方向に平行な直線状に形成されている。リブ８ｔとリブ８ｖとの間には隙間が形成されている。リブ８ｔ、８ｖの側面（前後方向の側面）は、前後方向に直交する平面となっている。
【００４６】
リブ８ｐ〜８ｖの上面は、上下方向に直交する平面となっている。リブ８ｐの上面とリブ８ｑの上面とリブ８ｒの上面とリブ８ｓの上面とリブ８ｔの上面とリブ８ｕの上面とリブ８ｖの上面とは上下方向において同じ位置に配置されている。すなわち、リブ８ｐ〜８ｖのそれぞれの上面の高さは同じ高さになっている。なお、リブ８ｐ〜８ｖの底面部８ｃの上面からの高さは、突出部８ｊの上端の底面部８ｃの上面からの高さよりも低くなっている。
【００４７】
底面部８ｃの四隅には、ネジ１４の軸部が挿通される貫通穴８ｋが形成されている。貫通穴８ｋは、上下方向で底面部８ｃを貫通している。また、前側に形成される左右の貫通穴８ｋはリブ８ｕを貫通し、後側に形成される左右の貫通穴８ｋはリブ８ｐを貫通している。本形態では、前側に配置される２本のネジ１４の左右方向のピッチと、後ろ側に配置される２本のネジ１４の左右方向のピッチとが異なっている。具体的には、前側に配置される２本のネジ１４のピッチが後ろ側に配置される２本のネジ１４のピッチよりも狭くなっている。そのため、図６に示すように、底面部８ｃの前端側に形成される２個の貫通穴８ｋのピッチＰ１は、底面部８ｃの後端側に形成される２個の貫通穴８ｋのピッチＰ２よりも狭くなっている。
【００４８】
（基板組の構成）
図７は、図２に示す基板組１２を反対側から示す斜視図である。
【００４９】
ＬＥＤ駆動基板５は、上述のように、長方形の平板状に形成されている。ＬＥＤ駆動基板５は、ＬＥＤ駆動基板５の厚さ方向と上下方向とが一致するように収容部８ａに収容されている。また、ＬＥＤ駆動基板５は、長方形の平板状に形成されるＬＥＤ駆動基板５の長手方向と前後方向とが一致するように収容部８ａに収容されている。ＬＥＤ駆動基板５は、導光板２の下側に配置されている。
【００５０】
基板４は、上述のように、フレキシブルプリント基板であり、ＬＥＤ実装基板４ａと接続基板４ｂとから構成されている。ＬＥＤ実装基板４ａは、左右方向に細長い略長方形の平板状に形成されている。このＬＥＤ実装基板４ａは、ＬＥＤ実装基板４ａの厚さ方向と前後方向とが一致するように収容部８ａに収容されている。また、ＬＥＤ実装基板４ａは、導光板２の後ろ側に配置されている。
【００５１】
複数のＬＥＤ３は、ＬＥＤ実装基板４ａの一方の面に実装されている。具体的には、複数のＬＥＤ３は、ＬＥＤ実装基板４ａの前面に実装されており、導光板２の端面２ａに臨むように配置されている。また、複数のＬＥＤ３は、左右方向において一定のピッチでＬＥＤ実装基板４ａに実装されている。すなわち、ＬＥＤ実装基板４ａには、左右方向に直線状に配列される複数のＬＥＤ３が実装されている。本形態では、６個のＬＥＤ３がＬＥＤ実装基板４ａに実装されている。
【００５２】
また、複数のＬＥＤ３は、ＬＥＤ実装基板４ａの上端側部分に実装されている。ＬＥＤ実装基板４ａの上端側部分の左右方向の幅は、ＬＥＤ実装基板４ａの下端側部分の左右方向の幅よりも広くなっている。ＬＥＤ実装基板４ａの上端側部分の左右の両端部は、左右方向の外側へ突出する突出部４ｃとなっている。ＬＥＤ実装基板４ａの下端側部分の左右方向の中心には、上側に向かって切り欠かれた切欠き部４ｄが形成されている（図２参照）。
【００５３】
接続基板４ｂは、ＬＥＤ実装基板４ａから前側に向かって延びるとともにＬＥＤ実装基板４ａとＬＥＤ駆動基板５とを接続する帯状の接続部４ｅと、接続部４ｅから左右方向へ延びる延出部４ｆとを備えている。本形態の接続基板４ｂは、接続部４ｅから左右方向の両側へ延びる２個の延出部４ｆを備えている。２個の延出部４ｆは、前後方向において接続部４ｅの同じ位置から左右方向の外側へ延びている。また、延出部４ｆの前後方向の両端面は、前後方向に直交しており、接続基板４ｂは、十字状に形成されている。
【００５４】
接続基板４ｂは、ＬＥＤ実装基板４ａの下端側から引き出されて、ＬＥＤ駆動基板５の下面に接続されている。すなわち、接続部４ｅの一端は、ＬＥＤ実装基板４ａの下端側に繋がり、接続部４ｅの他端は、ＬＥＤ駆動基板５の下面に接続されている。具体的には、接続部４ｅの一端は、切欠き部４ｄが形成されるＬＥＤ実装基板４ａの左右方向の中心部分の下端面に繋がり、接続部４ｅの他端は、ＬＥＤ駆動基板５の下面の右端側かつ後端側の下面に繋がっている。
【００５５】
図６に示すように、接続部４ｅは、接続部４ｅの、ＬＥＤ実装基板４ａと延出部４ｆとの間の部分をなす後端側接続部４ｇと、接続部４ｅの前端側部分をなす前端側接続部４ｈと、延出部４ｆと前端側接続部４ｈとの間の部分をなす中間接続部４ｊとを備えている。後端側接続部４ｇの幅（左右方向の幅）Ｈ１は、中間接続部４ｊの幅（左右方向の幅）Ｈ２よりも狭くなっている。また、後端側接続部４ｇの幅Ｈ１は、前端側接続部４ｈの幅（左右方向の幅）と等しくなっている。
【００５６】
なお、本形態では、基板４はフレキシブルプリント基板であり、ＬＥＤ実装基板４ａと接続基板４ｂとが一体で形成されているが、別体で形成されたＬＥＤ実装基板４ａと接続基板４ｂとが接続されていても良い。この場合には、ＬＥＤ実装基板４ａは、たとえば、アルミ基板であっても良い。
【００５７】
（導光板および反射板の構成）
図８は、図２に示す導光板２の構成を説明するための平面図である。図９（Ａ）は、図８のＥ部の拡大図であり、図９（Ｂ）は、図８のＦ部の拡大図であり、図９（Ｃ）は、図８のＧ部の拡大図であり、図９（Ｄ）は、図８のＨ部の拡大図である。図１０（Ａ）は、図３のＪ部の拡大図であり、図１０（Ｂ）は、図３のＫ部の拡大図である。図１１（Ａ）は、図１に示す照明装置１の右端部の構成を説明するための断面図であり、図１１（Ｂ）は、図１に示す照明装置１の左端部の構成を説明するための断面図である。
【００５８】
導光板２は、上述のように、正方形の平板状に形成されており、導光板２の厚さ方向と上下方向とが一致するように収容部８ａに収容されている。また、上述のように、ＬＥＤ実装基板４ａは、導光板２の後ろ側に配置されている。導光板２の後端面を構成する端面２ａには、端面２ａからＬＥＤ実装基板４ａ側に突出してＬＥＤ実装基板４ａに接触する複数の凸部２ｆ、２ｇが形成されている。すなわち、端面２ａには、端面２ａから後ろ側に突出してＬＥＤ実装基板４ａの前面に接触する複数の凸部２ｆ、２ｇが形成されている。
【００５９】
凸部２ｆは、左右方向における端面２ａの中心に形成されている。凸部２ｇは、左右方向における端面２ａの両端部の２箇所に形成されている。上下方向から見たときの凸部２ｆ、２ｇの形状は、長方形状となっている。凸部２ｆ、２ｇの後端面（先端面）は、前後方向に直交する平面となっている。凸部２ｆ、２ｇ（具体的には、凸部２ｆ、２ｇの後端面）は、ＬＥＤ実装基板４ａの上端側部分に接触している。また、凸部２ｆは、左右方向におけるＬＥＤ実装基板４ａの中央部分であって、左右方向で隣り合うＬＥＤ３の間でＬＥＤ実装基板４ａに接触している。２個の凸部２ｇのそれぞれは、ＬＥＤ実装基板４ａの左右方向の両端部のそれぞれに接触している。具体的には、２個の凸部２ｇのそれぞれは、２個の突出部４ｃのそれぞれに接触している。
【００６０】
導光板２の４個の角部（四隅）のそれぞれには、ネジ１４の軸部と導光板２との接触を防止するための切欠き部２ｈ、２ｊが形成されている。切欠き部２ｈは、導光板２の右後端の角部と、導光板２の左後端の角部との２箇所に形成されている。切欠き部２ｊは、導光板２の右前端の角部と、導光板２の左前端の角部との２箇所に形成されている。切欠き部２ｈ、２ｊは、少なくとも導光板２の角を切り欠くように形成されている。本形態の切欠き部２ｈ、２ｊは、導光板２の中心側に向かって窪んでいる。
【００６１】
図９（Ａ）に示すように、導光板２の左後端の角部に形成される切欠き部２ｈの側面は、上下方向から見たときの形状が１／４円弧状の凹曲面となる曲面部２ｐと、曲面部２ｐの一端部に繋がるとともに端面２ｄに直交するように繋がる平面状の平面部２ｑと、曲面部２ｐの他端部に繋がるとともに凸部２ｇの後端面に直交するように繋がる平面状の平面部２ｒとから構成されている。同様に、導光板２の右後端の角部に形成される切欠き部２ｈの側面は、曲面部２ｐと、曲面部２ｐの一端部に繋がるとともに端面２ｃに直交するように繋がる平面部２ｑと、曲面部２ｐの他端部に繋がるとともに凸部２ｇの後端面に直交するように繋がる平面部２ｒとから構成されている（図９（Ｂ）参照）。
【００６２】
また、図９（Ｃ）に示すように、導光板２の左前端の角部に形成される切欠き部２ｊの側面は、上下方向から見たときの形状が１／４円弧状の凹曲面となる曲面部２ｓと、曲面部２ｓの一端部に繋がるとともに端面２ｄに直交するように繋がる平面状の平面部２ｔと、曲面部２ｓの他端部に繋がるとともに端面２ｂに直交するように繋がる平面状の平面部２ｕとから構成されている。同様に、導光板２の右前端の角部に形成される切欠き部２ｊの側面は、曲面部２ｓと、曲面部２ｓの一端部に繋がるとともに端面２ｃに直交するように繋がる平面部２ｔと、曲面部２ｓの他端部に繋がるとともに端面２ｂに直交するように繋がる平面部２ｕとから構成されている（図９（Ｄ）参照）。
【００６３】
すなわち、切欠き部２ｈ、２ｊの側面の一部は、凹曲面状に形成されている。本形態では、曲面部２ｐの曲率半径と曲面部２ｓの曲率半径とが等しくなっている。また、左右方向における平面部２ｑの幅は、左右方向における平面部２ｔの幅よりも狭くなっている。前後方向における平面部２ｒの幅は、前後方向における平面部２ｕの幅とほぼ等しくなっている。導光板２の左後端の角部に形成される平面部２ｒは、左側に配置される凸部２ｇの左側面を構成している。導光板２の右後端の角部に形成される平面部２ｒは、右側に配置される凸部２ｇの右側面を構成している。
【００６４】
反射板７は、上述のように、反射部７ａ〜７ｄによって構成されている。反射部７ａは、長方形の平板状に形成されており、反射部７ａの厚さ方向と上下方向とが一致するように配置されている。また、反射部７ａは、導光板２の下面に臨むように配置されている。反射部７ａの外周面は、前後方向または左右方向と平行になっている。反射部７ｂは、左右方向に細長い長方形の平板状に形成されており、反射部７ａの前端面に繋がっている。また、反射部７ｂは、反射部７ａの前端面から上側へ立ち上がるように形成されている。反射部７ｂは、導光板２の端面２ｂに臨むように配置されている。
【００６５】
反射部７ｃ、７ｄは、前後方向に細長い長方形の平板状に形成されている。反射部７ｃは、反射部７ａの右端面に繋がっている。また、反射部７ｃは、反射部７ａの右端面から上側へ立ち上がるように形成されている。反射部７ｃは、導光板２の端面２ｃに臨むように配置されている。反射部７ｄは、反射部７ａの左端面に繋がっている。また、反射部７ｄは、反射部７ａの左端面から上側へ立ち上がるように形成されている。反射部７ｄは、導光板２の端面２ｄに臨むように配置されている。
【００６６】
反射部７ａの後端面７ｅは、反射部７ｃ、７ｄの後端面よりも後ろ側へ突出している。後端面７ｅは、ＬＥＤ実装基板４ａの下端側部分に接触している。具体的には、後端面７ｅは、ＬＥＤ実装基板４ａの下端側部分の前面に接触している。反射板７の四隅のそれぞれには、ネジ１４の軸部と反射板７との接触を防止するための切欠き部が形成されている。
【００６７】
また、反射板７は、一体物である。反射部７ａと反射部７ｂとの繋がり部分には、複数のスリット（切り込み）７ｆが所定の間隔で形成されている。同様に、反射部７ａと反射部７ｃとの繋がり部分および反射部７ａと反射部７ｄとの繋がり部分にも複数のスリット７ｆが所定の間隔で形成されている。本形態では、反射板７に複数のスリット７ｆが形成されているため、反射部７ｂ、７ｃ、７ｄを反射部７ａから上方に立ち上げる加工を容易に行うことが可能となっている。なお、反射部７ｂ、７ｃ、７ｄは、反射部７ａから上方に立ち上げられているため、反射部７ａと反射部７ｂ、７ｃ、７ｄとの繋がり部分は、上側（すなわち、光出射面６ａの側）に凹面を向けた凹曲面となりやすい。そのため、導光板２から凹曲面に向けて射出した光が、凹曲面で集光した光として反射しやすく、この反射光が光出射面６ａに輝度の高い輝度斑を発生させやすい。しかしながら、本形態では、スリット７ｆが形成されているため、反射部７ａと反射部７ｂ、７ｃ、７ｄとの繋がり部分における光の反射量を低減することが可能となっており、したがって、光出射面６ａの輝度斑の発生を抑えることが可能となっている。
【００６８】
（照明装置の具体的な構成）
上述のように、導光板２、ＬＥＤ３、反射板７および基板組１２は、収容部８ａに収容されている。また、拡散板６は、収容部８ａの開口を塞ぐように収容部８ａの側壁部８ｄの上端に固定されている。
【００６９】
ＬＥＤ実装基板４ａは、導光板２および反射板７と、収容部８ａの側面部８ｅとの間に配置されている。すなわち、ＬＥＤ実装基板４ａは、導光板２の凸部２ｆ、２ｇと側面部８ｅとの間に挟まれている。また、ＬＥＤ実装基板４ａは、反射部７ａの後端面７ｅと側面部８ｅとの間に挟まれている。上述のように、凸部２ｆ、２ｇは、ＬＥＤ実装基板４ａの上端側部分に接触し、後端面７ｅは、ＬＥＤ実装基板４ａの下端側部分に接触している。
【００７０】
図１０（Ａ）に示すように、ＬＥＤ実装基板４ａの下端面は、収容部８ａの底面部８ｃに接触している。具体的には、ＬＥＤ実装基板４ａの下端面は、底面部８ｃの上面に接触している。ＬＥＤ実装基板４ａの、ＬＥＤ３が実装されている面と反対側の面（すなわち、ＬＥＤ実装基板４ａの後面）である反実装面４ｋ（図７、図１０（Ａ）等参照）は、側面部８ｅに対向している。
【００７１】
本形態の前後方向（Ｘ方向）は、反実装面４ｋと側面部８ｅとの対向である第１方向となっている。この第１方向（前後方向）は、収容部８ａの扁平方向である上下方向に直交する方向であってかつ正方形状に形成される導光板２の一辺に沿う方向でもある。また、左右方向（Ｙ方向）は、収容部８ａの扁平方向である上下方向と第１方向である前後方向とに直交する方向である第２方向となっている。
【００７２】
また、本形態の導光板２の端面２ａは、ＬＥＤ３が臨むように配置される第１端面であり、導光板２の第１方向（前後方向）の一方の端面となっている。また、導光板２の端面２ｂは、導光板２の第１方向（前後方向）の他方の端面である第２端面となっている。また、導光板２の端面２ｃ、２ｄは、第１端面である端面２ａと第２端面である端面２ｂとを除く導光板２の端面である第３端面となっている。
【００７３】
ＬＥＤ実装基板４ａと側面部８ｅとの間には、弾性部材１６が配置されている。弾性部材１６は、放熱性を有する放熱テープであり、左右方向に細長い長方形状に形成されている。弾性部材１６の前面は、反実装面４ｋに接触し、弾性部材１６の後面は、側面部８ｅに接触している。弾性部材１６の長さ（左右方向の長さ）は、ＬＥＤ実装基板４ａの下端側部分の左右方向の幅とほぼ等しくなっている（図７参照）。弾性部材１６の幅（上下方向の幅）は、ＬＥＤ実装基板４ａの上下方向の幅よりも若干狭くなっている。
【００７４】
放熱テープである弾性部材１６は、ＬＥＤ実装基板４ａを側面部８ｅに固定する機能を果たしている。ただし、弾性部材１６の粘着力は、比較的低くなっており、接続基板４ｂに外力が作用したときに、ＬＥＤ実装基板４ａが若干動く程度の粘着力となっている。また、放熱テープである弾性部材１６は、ＬＥＤ３で発生した熱を側面部８ｅに逃がす機能も果たしている。
【００７５】
ＬＥＤ実装基板４ａの下端側部分の右端面４ｐは、右側に配置されるリブ８ｐの左側面に接触し、ＬＥＤ実装基板４ａの下端側部分の左端面４ｑは、左側に配置されるリブ８ｐの右側面に接触している。ＬＥＤ実装基板４ａの、右側に配置される突出部４ｃは、右側に配置されるリブ８ｐの上側に配置され、ＬＥＤ実装基板４ａの、左側に配置される突出部４ｃは、左側に配置されるリブ８ｐの上側に配置されている。
【００７６】
本形態では、ＬＥＤ実装基板４ａの右端面４ｐおよび左端面４ｑとリブ８ｐとによって左右方向において基板組１２を位置決めする第１位置決め部１８（図６参照）が構成されている。すなわち、ＬＥＤ実装基板４ａと収容部８ａとによって（具体的には、ＬＥＤ実装基板４ａの一部分を構成するＬＥＤ実装基板４ａの左右方向の両端面４ｐ、４ｑと収容部８ａの一部分を構成するリブ８ｐとによって）第１位置決め部１８が構成されている。本形態のリブ８ｐは、底面部８ｃから上側へ突出するとともにＬＥＤ実装基板４ａの左右方向の両端面４ｐ、４ｑのそれぞれが接触する第１突起部である。
【００７７】
図６に示すように、ＬＥＤ駆動基板５は、２個のリブ８ｒと２個のリブ８ｓとリブ８ｔとに囲まれた領域の中に配置されている。ＬＥＤ駆動基板５の後端面は、リブ８ｒの前側に配置され、ＬＥＤ駆動基板５の前端面は、リブ８ｔの後ろ側に配置されている。また、ＬＥＤ駆動基板５は、底面部８ｃの上面に接触している。
【００７８】
なお、底面部８ｃの上面の、接続基板４ｂが配置される部分は、底面部８ｃの上面の、ＬＥＤ駆動基板５が接触する部分よりも下側に配置されている。具体的には、底面部８ｃの上面の、接続基板４ｂが配置される部分は、底面部８ｃの上面の、ＬＥＤ駆動基板５が接触する部分よりも接続基板４ｂの厚さ分だけ下側に配置されている。また、底面部８ｃの上面の、ＬＥＤ実装基板４ａの下端面が接触する部分は、底面部８ｃの上面の、接続基板４ｂが配置される部分と同一平面上に配置されている。
【００７９】
上述のように、接続基板４ｂは、ＬＥＤ実装基板４ａの下端側から引き出されて、ＬＥＤ駆動基板５の下面に接続されており、底面部８ｃに沿って引き回されている。接続基板４ｂの後端側接続部４ｇの前端側部分は、２個のリブ８ｑの間の隙間に配置されている。接続基板４ｂの中間接続部４ｊの後端側部分は、２個のリブ８ｒの間の隙間に配置されている。接続基板４ｂの延出部４ｆは、リブ８ｑとリブ８ｒとの間の隙間に配置されている。延出部４ｆの後端面は、リブ８ｑの前側面に接触し、延出部４ｆの前端面は、リブ８ｒの後側面に接触している。
【００８０】
本形態では、接続基板４ｂの延出部４ｆの前後方向の両端面と、リブ８ｑ、８ｒとによって前後方向において基板組１２を位置決めする第２位置決め部１９（図６、図１０（Ａ）参照）が構成されている。すなわち、接続基板４ｂと収容部８ａとによって（具体的には、接続基板４ｂの一部分を構成する延出部４ｆの前後方向の両端面と、収容部８ａの一部分を構成するリブ８ｑ、８ｒとによって）第２位置決め部１９が構成されている。本形態のリブ８ｑ、８ｒは、底面部８ｃから上側へ突出するとともに延出部８ｆの前後方向の両端面のそれぞれが接触する第２突起部である。
【００８１】
後端側接続部４ｇの幅Ｈ１は、２個のリブ８ｑの左右方向の距離Ｄ１よりも広くなっている。具体的には、幅Ｈ１は、距離Ｄ１よりもわずかに広くなっている。すなわち、距離Ｄ１は、幅Ｈ１よりも短くなっており、後端側接続部４ｇの左右方向の両端面のそれぞれは、２個のリブ８ｑのそれぞれの端面に所定の接触圧で接触している。すなわち、後端側接続部４ｇは、２個のリブ８ｑの間の隙間に嵌り込んでいる。
【００８２】
本形態では、接続部４ｅの左右方向の両端面（具体的には、後端側接続部４ｇの左右方向の両端面）と２個のリブ８ｑとによって、接続基板４ｂの上側への移動を規制する規制部２０（図６参照）が構成されている。本形態のリブ８ｑは、底面部８ｃから上側へ突出するとともに接続部４ｅの左右方向の両端面のそれぞれが接触する第３突起部である。なお、中間接続部４ｊの幅Ｈ２は、２個のリブ８ｒの左右方向の距離Ｄ２よりも狭くなっている。具体的には、幅Ｈ２は、距離Ｄ２よりもわずかに狭くなっている。
【００８３】
前後方向における後端側接続部４ｇの長さは、リブ８ｑの前側面とＬＥＤ実装基板４ａとの前後方向の距離よりも長くなっている。すなわち、接続部４ｅの、前後方向におけるＬＥＤ実装基板４ａとＬＥＤ駆動基板５との間の部分の長さは、前後方向におけるＬＥＤ実装基板４ａとＬＥＤ駆動基板５との距離よりも長くなっている。
【００８４】
反射板７の反射部７ａは、リブ８ｐ〜８ｖの上面に接触している。反射部７ｂは、導光板２の端面２ｂと収容部８ａの側面部８ｆとの間に挟まれており、端面２ｂおよび側面部８ｆに接触している。反射部７ｃは、導光板２の端面２ｃと収容部８ａの側面部８ｇとの間に挟まれており、端面２ｃおよび側面部８ｇに接触している。反射部７ｄは、導光板２の端面２ｄと収容部８ａの側面部８ｈとの間に挟まれており、端面２ｄおよび側面部８ｈに接触している。
【００８５】
反射部７ｂ〜７ｄは、所定の接触圧で側壁部８ｄに接触している。すなわち、反射部７ｂは、所定の接触圧で側面部８ｆに接触し、反射部７ｃは、所定の接触圧で側面部８ｇに接触し、反射部７ｄは、所定の接触圧で側面部８ｈに接触している。具体的には、反射板７が、反射板７の自重によって上下方向、前後方向および左右方向へ収容部８ａに対して動かないように、反射部７ｂは、所定の接触圧で側面部８ｆに接触し、反射部７ｃは、所定の接触圧で側面部８ｇに接触し、反射部７ｄは、所定の接触圧で側面部８ｈに接触している。
【００８６】
すなわち、反射板７は、反射板７の自重によって上下方向、前後方向および左右方向へ収容部８ａに対して動かないように収容部８ａに嵌め込まれている。また、反射部７ｂが所定の接触圧で側面部８ｆに接触しているため、反射部７ａの後端面７ｅは、所定の接触圧でＬＥＤ実装基板４ａに接触している。本形態の側面部８ｆは、反射部７ｂの反射面と反対側の面が対向する第２側面部である。
【００８７】
なお、収容部８ａに収容される前の反射板７の反射部７ｂは、図１０（Ｂ）の二点鎖線で示すように、反射板７が収容部８ａに収容された状態の反射部７ｂよりも反射板７の外周側（前側）に倒れている。反射板７が収容部８ａに収容されると、反射部７ｂが反射板７の中心側に向かって起き上がって所定の接触圧で側面部８ｆに接触する。同様に、収容部８ａに収容される前の反射板７の反射部７ｃ、７ｄは、反射板７が収容部８ａに収容された状態の反射部７ｃ、７ｄよりも反射板７の外周側に倒れており、反射板７が収容部８ａに収容されると、反射部７ｃ、７ｄが反射板７の中心側に向かって起き上がって所定の接触圧で側面部８ｇ、８ｈに接触する。
【００８８】
拡散板６は、上述のように、４本のネジ１４によって筺体８に固定されている。具体的には、拡散板６は、収容部８ａに固定されている。また、上述のように、４本のネジ１４は、拡散板６の四隅のそれぞれに配置されており、収容部８ａと拡散板６とは、拡散板４の四隅のそれぞれにおいてネジ１４によって互いに固定されている。また、上下方向から見たときに、拡散板６の４個の角部のそれぞれと、導光板２の４個の角部のそれぞれとが重なっており、４本のネジ１４のそれぞれは、導光板２の４個の角部（四隅）のそれぞれに配置されている。
【００８９】
ネジ１４の一部は、導光板２の切欠き部２ｈ、２ｊに配置されている。また、ネジ１４の一部は、反射板７の四隅に形成される切欠き部に配置されている。拡散板６が収容部８ａに固定された状態では、拡散板６の第２突出部６ｄが筐体８の突出部８ｊの外周側に配置されている。第２突出部６ｄの下面は、側壁部８ｄの上端面に接触している。
【００９０】
導光板２は、凸部２ｆ、２ｇがＬＥＤ実装基板４ａに接触し、端面２ｂが反射部７ｂに接触し、端面２ｃが反射部７ｃに接触し、端面２ｄが反射部７ｄに接触した状態で、収容部８ａに収容されている。また、導光板２は、導光板２の下面が反射部７ａに接触した状態で、収容部８ａに収容されている。また、上述のように、導光板２の光射出面２ｅの、前後方向の外側部分および左右方向の外側部分（すなわち、光射出面２ｅの周縁部）には、拡散板６の突出部６ｂの下面が接触している。導光板２は、突出部６ｂが光射出面２ｅに接触することで収容部８ａの内部で固定されている。具体的には、導光板２は、導光板２の下面が反射部７ａに接触し、かつ、突出部６ｂが光射出面２ｅに接触することで、反射部７ａと突出部６ｂとの間に挟まれた状態で収容部８ａの内部で固定されている。
【００９１】
なお、収容部８ａに導光板２が収容された状態では、導光板２の光出射面２ｅが筐体８の突出部８ｊの上端よりもわずかに上方に突出していることが好ましい。この場合には、反射部７ａと突出部６ｂとの間に導光板２を確実に挟み込むことが可能になる。
【００９２】
照明装置１を組み立てるときには、まず、収容部８ａに基板組１２を収容し、その後、反射板７を収容部８ａに嵌め込む。その後、収容部８ａに導光板２を収容する。導光板２が収容されると、ＬＥＤ実装基板４ａがしっかりと位置決めされる。その後、ネジ１４によって、収容部８ａに拡散板６を固定する。
【００９３】
（照明装置内の光の経路）
ＬＥＤ３から射出された光の一部は、導光板２の端面２ａから導光板２の中に進入した後、導光板２の光射出面２ｅおよび反射板７で全反射しながら導光板２の中を進むとともに、光散乱粒子によって散乱しながら進み、いずれは、光射出面２ｅから射出される。また、ＬＥＤ３から射出された光の他の一部は、光射出面２ｅで全反射することなく、光散乱粒子によって散乱しながら進み、光射出面２ｅから射出される。導光板２の中の光が、光射出面２ｅおよび反射板７で全反射するとともに光散乱粒子によって散乱するため、光射出面２ｅの輝度は均一化された状態となっている。
【００９４】
導光板２の光射出面２ｅから射出された光の一部は、突出部６ｂの下面の、光射出面２ｅに接触する部分に入射する。この光は、突出部６ｂの内周面と拡散板６の外周面とで全反射しながら進むとともに、光散乱粒子によって散乱しながら進み、光射出面６ａの、主として突出部６ｂに対応する領域（すなわち、光射出面６ａの周縁部）から射出される。また、光射出面２ｅから射出され光入射面６ｇに入射した光は、光散乱粒子によって散乱しながら進み、光射出面６ａから射出される。
【００９５】
（本形態の主な効果）
以上説明したように、本形態の照明装置１は、ＬＥＤ３と、ＬＥＤ３が実装されるＬＥＤ実装基板４ａと、ＬＥＤ３の駆動回路が実装されるＬＥＤ駆動基板５と、ＬＥＤ実装基板４ａとＬＥＤ駆動基板５とを接続する接続基板４ｂと、扁平な箱状に形成される収容部８ａを有する筐体８とを備えている。ＬＥＤ３は、ＬＥＤ実装基板４ａの前面に実装されている。接続基板４ｂは、フレキシブルプリント基板であり、収容部８ａの上面は、開口している。収容部８ａには、ＬＥＤ実装基板４ａとＬＥＤ駆動基板５と接続基板４ｂとによって構成される基板組１２およびＬＥＤ３が収容されている。収容部８ａは、下面を構成する底面部８ｃと、底面部８ｃから上側へ立ち上がるように形成され、ＬＥＤ実装基板４ａの、ＬＥＤ３が実装されている面と反対側の面である反実装面４ｋが対向する側面部８ｅとを備えている。
【００９６】
また、ＬＥＤ実装基板４ａと収容部８ａとによって、左右方向において収容部８ａに対して基板組１２を位置決めする第１位置決め部１８が構成されている。具体的には、ＬＥＤ実装基板４ａは、左右方向に細長い略長方形状に形成されており、ＬＥＤ実装基板４ａの左右方向の両端面４ｐ、４ｑと収容部８ａとによって、左右方向において収容部８ａに対して基板組１２を位置決めする第１位置決め部１８が構成されている。より具体的には、ＬＥＤ実装基板４ａの左右方向の両端面４ｐ、４ｑと、底面部８ｃから上側へ突出するとともにＬＥＤ実装基板４ａの両端面４ｐ、４ｑのそれぞれが接触するリブ８ｐとによって、第１位置決め部１８が構成されている。
【００９７】
また、接続基板４ｂと収容部８ａとによって、前後方向において収容部８ａに対して基板組１２を位置決めする第２位置決め部１９が構成されている。具体的には、接続基板４ｂは、ＬＥＤ実装基板４ａから前側へ向かって延びるとともにＬＥＤ実装基板４ａとＬＥＤ駆動基板５とを接続する帯状の接続部４ｅと、接続部４ｅから左右方向へ延びる延出部４ｆとを備えており、延出部４ｆの前後方向の両端面と、底面部４ｃから上側へ突出するとともに延出部４ｆの前後方向の両端面のそれぞれが接触するリブ８ｑ、８ｒとによって、第２位置決め部１９が構成されている。
【００９８】
このように、本形態では、ＬＥＤ実装基板４ａと収容部８ａとによって、左右方向において収容部８ａに対して基板組１２を位置決めする第１位置決め部１８が構成され、接続基板４ｂと収容部８ａとによって、前後方向において収容部８ａに対して基板組１２を位置決めする第２位置決め部１９が構成されている。そのため、本形態では、第１位置決め部１８によって、左右方向において収容部８ａに対して基板組１２を容易に位置決めすることが可能になるとともに、第２位置決め部１９によって、前後方向において収容部８ａに対して基板組１２を容易に位置決めすることが可能になる。したがって、本形態では、照明装置１の組立を容易に行うことが可能になる。
【００９９】
本形態のように、接続基板４ｂは、接続部４ｅから左右方向の両側へ延びる２個の延出部４ｆを有する十字状に形成されていることが好ましい。このようにすると、２個の延出部４ｆとリブ８ｑ、８ｒとを用いて、前後方向において収容部８ａに対して基板組１２を確実に位置決めすることが可能になる。
【０１００】
本形態のように、ＬＥＤ駆動基板５は、ＬＥＤ駆動基板５の厚さ方向と上下方向とが一致するように収容部８ａに収容され、接続基板４ｂは、ＬＥＤ実装基板４ａの下端側から引き出されて、ＬＥＤ駆動基板５の下面に接続されていることが好ましい。このようにすると、底面部８ｃに沿って接続基板４ｂを引き回すことが可能になるため、たとえば、ＬＥＤ実装基板４ａの上端側から接続基板４ｂが引き出されている場合や、ＬＥＤ駆動基板５の上面に接続基板４ｂが接続されている場合と比較して、収容部８ａに収容される基板組１２の収容状態を安定させることが可能になる。したがって、収容部８ａに対する基板組１２の組込みを容易に行うことが可能になる。
【０１０１】
本形態のように、照明装置１は、底面部８ｃに沿って引き回される接続基板４ｂの上側への移動を規制する規制部２０を備えていることが好ましい。このようにすると、収容部８ａに収容される接続基板４ｂの上側への移動が規制部２０によって防止されるため、収容部８ａに対する基板組１２の組込みを容易に行うことが可能になる。
【０１０２】
本形態のように、接続基板４ｂは、ＬＥＤ実装基板４ａから前側へ向かって延びるとともにＬＥＤ実装基板４ａとＬＥＤ駆動基板５とを接続する帯状の接続部４ｅを備え、規制部２０は、接続部４ｅを構成する後端側接続部４ｇの左右方向の両端面と、底面部８ｃから上側へ突出するとともに後端側接続部４ｇの左右方向の両端面のそれぞれが接触するリブ８ｑとから構成され、後端側接続部４ｇの右端面が接触するリブ８ｑと、後端側接続部４ｇの左端面が接触するリブ８ｑとの左右方向の距離Ｄ１は、後端側接続部４ｇの左右方向の幅Ｈ１よりも短くなっていることが好ましい。このようにすると、底面部８ｃから突出するリブ８ｑを用いた比較的簡易な構成で、接続基板４ｂの上側への移動を防止することが可能になる。
【０１０３】
本形態のように、接続基板４ｂは、ＬＥＤ実装基板４ａから前側へ向かって延びるとともにＬＥＤ実装基板４ａとＬＥＤ駆動基板５とを接続する帯状の接続部４ｅを備え、接続部４ｅの、前後方向におけるＬＥＤ実装基板４ａとＬＥＤ駆動基板５との間の部分の長さは、前後方向におけるＬＥＤ実装基板４ａとＬＥＤ駆動基板５との距離よりも長くなっていることが好ましい。このようにすると、フレキシブルプリント基板である接続基板４ｂの接続部４ｅを撓ませることが可能になり、撓んだ接続部４ｅの復元力を利用して、ＬＥＤ実装基板４ａを側面部８ｅに向かって押し付けることが可能になる。
【０１０４】
具体的には、本形態では、前後方向における後端側接続部４ｇの長さが、リブ８ｑの前側面とＬＥＤ実装基板４ａとの前後方向の距離よりも長くなっているため、後端側接続部４ｇを撓ませることが可能になり、撓んだ後端側接続部４ｇの復元力を利用して、ＬＥＤ実装基板４ａを側面部８ｅに向かって押し付けることが可能になる。したがって、収容部８ａに収容されるＬＥＤ実装基板４ａの収容状態を安定させることが可能になり、その結果、収容部８ａに対する基板組１２の組込みを容易に行うことが可能になる。
【０１０５】
また、本形態の照明装置１は、導光板２と、導光板２の端面２ａに臨むように配置されるＬＥＤ３と、ＬＥＤ３が実装されるＬＥＤ実装基板４ａと、扁平な箱状に形成される収容部８ａを有する筐体８とを備えている。ＬＥＤ３は、ＬＥＤ実装基板４ａの前面に実装され、収容部８ａの上面は、開口している。収容部８ａには、ＬＥＤ３、ＬＥＤ実装基板４ａおよび導光板２が収容されている。収容部８ａは、下面を構成する底面部８ｃと、底面部８ｃから上側へ立ち上がるように形成され、ＬＥＤ実装基板４ａの、ＬＥＤ３が実装されている面と反対側の面である反実装面４ｋが対向する側面部８ｅとを備えている。導光板２には、ＬＥＤ３が臨むように配置される端面２ａからＬＥＤ実装基板４ａ側に突出してＬＥＤ実装基板４ａに接触する凸部２ｆ、２ｇが形成され、ＬＥＤ実装基板４ａは、凸部２ｆ、２ｇと側面部８ｅとの間に挟まれている。
【０１０６】
このように、本形態では、端面２ａからＬＥＤ実装基板４ａ側に突出してＬＥＤ実装基板４ａに接触する凸部２ｆ、２ｇが導光板２に形成され、ＬＥＤ実装基板４ａは、凸部２ｆ、２ｇと側面部８ｅとの間に挟まれている。そのため、本形態では、導光板２を収容部８ａに収容することで、凸部２ｆ、２ｇと側面部８ｅとを利用してＬＥＤ実装基板４ａを位置決めすることが可能になる。したがって、本形態では、照明装置１の組立を容易に行うことが可能になる。
【０１０７】
本形態のように、ＬＥＤ実装基板４ａは、左右方向に細長い略長方形状に形成され、ＬＥＤ実装基板４ａには、左右方向に配列される複数のＬＥＤ３が実装され、導光板２には、左右方向におけるＬＥＤ実装基板４ａの両端部に接触する凸部２ｇと、左右方向におけるＬＥＤ実装基板４ａの中央部分であって、かつ、左右方向で隣り合うＬＥＤ３の間でＬＥＤ実装基板４ａに接触する凸部２ｆとが形成されていることが好ましい。このようにすると、左右方向の全域において、ＬＥＤ実装基板４ａのふらつきを防止して、ＬＥＤ実装基板４ａに実装されるＬＥＤ３と導光板２の端面２ａとの前後方向の距離を一定に保つことが可能になる。したがって、照明装置１の輝度斑を抑制することが可能になる。
【０１０８】
本形態のように、照明装置１は、導光板２の端面２ｂに臨むように配置され端面２ｂから射出される光を反射する反射部７ｂを有する反射板７を備え、収容部８ａは、底面部８ｃから上側へ立ち上がるように形成され反射部７ｂの反射面と反対側の面が対向する側面部８ｆを備え、反射部７ｂは、端面２ｂと側面部８ｆとの間に挟まれていることが好ましい。このようにすると、導光板２を収容部８ａに収容することで、端面２ｂと側面部８ｆとを利用して反射板７の反射部７ｂを固定することが可能になる。したがって、照明装置１の組立をより容易に行うことが可能になる。
【０１０９】
本形態のように、照明装置１は、ＬＥＤ実装基板４ａと側面部８ｅとの間に配置される弾性部材１６を備えていることが好ましい。このようにすると、弾性部材１６が前後方向で圧縮するように導光板２が収容部８ａに収容されることで、反射板７の反射部７ａと側面部８ｅとの間にＬＥＤ実装基板４ａが挟まれている状態を維持することが可能になる。また、側面部８ｅ、８ｆが外力の影響で変形したり、あるいは、導光板２が経時的に収縮しても、導光板２の凸部２ｆ、２ｇと側面部８ｅとの間にＬＥＤ実装基板４ａが挟まれている状態を維持することが可能になる。
【０１１０】
本形態のように、弾性部材１６は、放熱性を有する放熱テープであり、ＬＥＤ実装基板４ａと側面部８ｅとの間に配置されていることが好ましい。このようにすると、放熱テープである弾性部材１６を用いてＬＥＤ実装基板４ａの固定強度を高めることが可能になるとともに、ＬＥＤ３で発生する熱を、放熱テープである弾性部材１６を用いて効率的に放散することが可能になる。
【０１１１】
本形態のように、ＬＥＤ実装基板４ａの下端面は、底面部８ｃに接触していることが好ましい。このようにすると、底面部８ｃを用いて、上下方向におけるＬＥＤ実装基板４ａの位置決めを行うことが可能になる。したがって、上下方向においてＬＥＤ実装基板４ａを位置決めするための部材が別途設けられている場合と比較して、照明装置１の構成を簡素化することが可能になる。
【０１１２】
本形態のように、照明装置１は、導光板２の上側に配置され導光板２が発する光を拡散するとともに収容部８ａの開口を塞ぐ拡散板６を備え、拡散板６は、拡散板６の外周面に沿って形成され導光板２に向かって突出するとともに光射出面２ｅに接触する突出部６ｂを備え、導光板２は、突出部６ｂが光射出面２ｅに接触することで収容部８ａの内部で固定されていることが好ましい。このようにすると、突出部６ｂの作用で、拡散板６の周縁部の輝度を高めることが可能になり、その結果、照明装置１の輝度斑を抑制することが可能になる。また、このようにすると、突出部６ｂを用いて、導光板２を固定することが可能になるため、導光板２を固定するための部材が別途設けられている場合と比較して、照明装置１の構成を簡素化することが可能になる。
【０１１３】
さらに、本形態の照明装置１は、反射板７と、導光板２と、導光板２の端面２ａに臨むように配置されるＬＥＤ３と、ＬＥＤ３が実装されるＬＥＤ実装基板４ａと、扁平な箱状に形成される収容部８ａを有する筐体８とを備えている。ＬＥＤ３は、ＬＥＤ実装基板４ａの前面に実装され、収容部８ａの上面は、開口している。収容部８ａは、下面を構成する底面部８ｃと、底面部８ｃから上側へ立ち上がるように形成され、ＬＥＤ実装基板４ａの、ＬＥＤ３が実装されている面と反対側の面である反実装面４ｋが対向する側面部８ｅとを備えている。収容部８ａには、ＬＥＤ３、ＬＥＤ実装基板４ａおよび反射板７が収容されるとともに、導光板２の厚さ方向と上下方向とが一致するように導光板２が収容されている。反射板７は、導光板２の下面に臨むように配置され導光板２の下面から射出される光を反射する反射部７ａを備えている。反射部７ａの後端面７ｅは、ＬＥＤ実装基板４ａに接触しており、ＬＥＤ実装基板４ａは、反射部７ａの後端面７ｅと側面部８ｅとの間に挟まれている。
【０１１４】
このように、本形態では、反射板７の一部を構成する反射部７ａの後端面７ｅは、ＬＥＤ実装基板４ａに接触しており、ＬＥＤ実装基板４ａは、反射部７ａの後端面７ｅと側面部８ａとの間に挟まれている。そのため、本形態では、前後方向において、ＬＥＤ実装基板４ａを容易に位置決めすることが可能になる。したがって、本形態では、照明装置１の組立を容易に行うことが可能になる。
【０１１５】
本形態のように、反射板７は、反射板７の自重によって上下方向、前後方向および左右方向へ収容部８ａに対して動かないように収容部８ａに嵌め込まれていることが好ましい。このようにすると、収容部８ａに収容される反射板７の収容状態を安定させることが可能になる。したがって、収容部８ａに対する反射板７の組込みを容易に行うことが可能になる。
【０１１６】
本形態のように、反射板７は、反射部７ａの前端面に繋がるとともに導光板２の端面２ｂに臨むように配置され端面２ｂから射出される光を反射する反射部７ｂを備え、収容部８ａは、底面部８ｃから上側へ立ち上がるように形成され反射部７ｂの反射面と反対側の面が対向する側面部８ｆを備え、反射部７ｂは、反射板７の自重によって上下方向、前後方向および左右方向へ反射板７が動かないように、側面部８ｆに所定の接触圧で接触していることが好ましい。このようにすると、反射部７ｂと側面部８ｆとを所定の接触圧で面接触させることが可能になるため、収容部８ａに収容される反射板７の収容状態をより安定させることが可能になる。また、このようにすると、上述のように、反射部７ａの後端面７ｅが所定の接触圧でＬＥＤ実装基板４ａに接触するため、前後方向において、ＬＥＤ実装基板４ａを確実に位置決めすることが可能になる。
【０１１７】
本形態のように、反射板７は、反射部７ａの右端面に繋がるとともに導光板２の端面２ｃに臨むように配置され端面２ｃから射出される光を反射する反射部７ｃと、反射部７ａの左端面に繋がるとともに導光板２の端面２ｄに臨むように配置され端面２ｄから射出される光を反射する反射部７ｄとを備え、収容部８ａは、底面部８ｃから上側へ立ち上がるように形成され、収容部８ａの外周面を構成するとともに側面部８ｅをその一部分に含む筒状の側壁部８ｄを備え、反射部７ｃ、７ｄは、反射板７の自重によって上下方向、前後方向および左右方向へ反射板７が動かないように、側壁部８ｄに所定の接触圧で接触していることが好ましい。このようにすると、反射部７ｃ、７ｄと側壁部８ｄとを所定の接触圧で面接触させることが可能になるため、収容部８ａに収容される反射板７の収容状態をより安定させることが可能になる。
【０１１８】
さらにまた、本形態の照明装置１は、正方形の板状に形成される導光板２と、導光板２の端面２ａに臨むように配置されるＬＥＤ３と、扁平な箱状に形成される収容部８ａを有する筐体８と、導光板２と略相似形の正方形の板状に形成され筐体８に固定される拡散板６と、筐体８と拡散板６とを固定するための複数のネジ１４とを備えている。収容部８ａの上面は、開口しており、収容部８ａには、ＬＥＤ３が収容されるとともに、導光板２の厚さ方向と上下方向とが一致するように導光板２が収容されている。拡散板６は、拡散板６の厚さ方向と上下方向とが一致するように配置されるとともに、収容部８ａの開口を塞ぐように収容部８ａに固定されている。上下方向から見たときに、導光板２の角部と拡散板６の角部とが重なっており、ネジ１４は、導光板２の角部に配置されている。ネジ１４が配置される導光板２の角部には、ネジ１４の軸部と導光板２との接触を防止するための切欠き部２ｈ、２ｊが少なくとも導光板２の角を切り欠くように形成されており、切欠き部２ｈ、２ｊには、ネジ１４の軸部の一部が配置されている。
【０１１９】
このように、本形態では、ネジ１４が配置される導光板２の角部に、ネジ１４の軸部と導光板２との接触を防止するための切欠き部２ｈ、２ｊが少なくとも導光板２の角を切り欠くように形成されており、切欠き部２ｈ、２ｊに、ネジ１４の軸部の一部が配置されている。すなわち、本形態では、導光板２の角部に形成されネジ１４の軸部の一部が配置される切欠き部２ｈ、２ｊが、ネジ１４の軸部の全周を囲まないように形成されている。そのため、本形態では、上下方向から見たときに、導光板２の角部と重なる拡散板６の角部の輝度の低下を抑制することが可能になる。したがって、本形態では、筐体８と拡散板６とが拡散板６の角部においてネジ１４で互いに固定されていても、拡散板６の角部の輝度の低下を抑制して、照明装置１の輝度斑を抑制することが可能になる。
【０１２０】
なお、ネジ１４の軸部が挿通される貫通穴が導光板２の角部に形成される場合には、この貫通穴は、切欠き部２ｈ、２ｊよりも導光板２の中心側に形成され、ネジ１４は、上述した形態よりも照明装置１の中心側に配置される。ネジ１４が照明装置１の中心側に配置されると、拡散板６の突出部６ｂに形成されるネジ穴６ｃが拡散板６の中心側に形成されるため、突出部６ｂの前後方向の厚さおよび左右方向の厚さが厚くなるおそれがある。突出部６ｂの前後方向の厚さおよび左右方向の厚さが厚くなると、突出部６ｂの影響で光射出面６ａの周縁部が暗くなりやすくなるが、本形態のように、導光板２の角部に切欠き部２ｈ、２ｊが形成されていると、かかる問題の発生を防止することが可能になる。
【０１２１】
本形態のように、切欠き部２ｈ、２ｊは、導光板２の中心側に向かって窪んでいることが好ましい。このようにすると、導光板２の角部にＣ面取り加工を行うことで、導光板２の角部に切欠き部２ｈ、２ｊが形成されている場合と比較して、ネジ１４の軸部と導光板２との接触を防止するための切欠き部２ｈ、２ｊの切欠き量を小さくすることが可能になる。したがって、導光板２の角部から拡散板６の角部に向かって射出される光量の低下を抑制することが可能になり、その結果、拡散板６の角部の輝度の低下を効果的に抑制することが可能になる。
【０１２２】
本形態のように、切欠き部２ｈ、２ｊの側面の少なくとも一部は、凹曲面状に形成されていることが好ましい。本願発明者の検討によると、切欠き部２ｈ、２ｊの側面が平面のみの組合せで構成されている場合と比較して、切欠き部２ｈ、２ｊの側面に凹曲面が含まれていると、拡散板６の角部の輝度の低下を効果的に抑制することが可能になる。
【０１２３】
本形態のように、切欠き部２ｈの側面には、上下方向から見たときの形状が１／４円弧状の凹曲面となる曲面部２ｐと、曲面部２ｐの端部に繋がるとともに導光板２の端面２ｃまたは端面２ｄに直交するように繋がる平面状の平面部２ｑとが含まれ、切欠き部２ｊの側面には、上下方向から見たときの形状が１／４円弧状の凹曲面となる曲面部２ｓと、曲面部２ｐの端部に繋がるとともに導光板２の端面２ｃまたは２ｄに直交するように繋がる平面状の平面部２ｔと、曲面部２ｐの端部に繋がるとともに導光板２の端面２ｂに直交するように繋がる平面状の平面部２ｕとが含まれていることが好ましい。
【０１２４】
このようにすると、導光板２の外周面に鋭利なエッジ部が生じるのを防止することが可能になる。また、このようにすると、切欠き部２ｈ、２ｊの側面が曲面部のみで形成されている場合と比較して、切欠き部２ｈ、２ｊの側面の面積を大きくすることが可能になるため、拡散板６の角部の輝度の低下をより効果的に抑制することが可能になる。すなわち、このようにすると、導光板２の外周面に鋭利なエッジ部が生じるのを防止しつつ、拡散板６の角部の輝度の低下をより効果的に抑制することが可能になる。
【０１２５】
本形態のように、導光板２は、正方形の板状に形成され、拡散板６は、導光板２と略相似形の正方形の板状に形成され、収容部８ａと拡散板６とは、拡散板６の四隅のそれぞれにおいてネジ１４によって互いに固定され、導光板２の４個の角部のそれぞれに切欠き部２ｈ、２ｊが形成され、前側に配置される２本のネジ１４の左右方向のピッチと、後ろ側に配置される２本のネジ１４の左右方向のピッチとが異なっていることが好ましい。このようにすると、収容部８ａに対して拡散板６を正しい向きで固定することが可能になる。すなわち、収容部８ａに対する拡散板６の組み間違いを防止することが可能になる。
【０１２６】
（他の実施の形態）
上述した形態では、ＬＥＤ実装基板４ａの下端側部分の左右方向の両端面４ｐ、４ｑと２個のリブ８ｐとによって、左右方向において収容部８ａに対して基板組１２を位置決めする第１位置決め部１８が構成されているが、ＬＥＤ実装基板４ａの左右方向の両端面と側面部８ｇ、８ｈとによって第１位置決め部１８が構成されていても良い。また、上述した形態では、ＬＥＤ実装基板４ａと収容部８ａとによって第１位置決め部１８が構成されているが、接続基板４ｂと収容部８ａとによって第１位置決め部が構成されていても良い。たとえば、後端側接続部４ｇと２個のリブ８ｑとによって第１位置決め部が構成されていても良いし、中間接続部４ｊと２個のリブ８ｒとによって第１位置決め部が構成されていても良い。また、第１位置決め部１８に加えて、接続基板４ｂと収容部８ａとによって構成される第１位置決め部が設けられていても良い。
【０１２７】
上述した形態では、接続基板４ｂと収容部８ａとによって、前後方向において収容部８ａに対して基板組１２を位置決めする第２位置決め部１９が構成されているが、ＬＥＤ駆動基板５と収容部８ａとによって第２位置決め部が構成されていても良い。たとえば、ＬＥＤ駆動基板５と、２個のリブ８ｒおよびリブ８ｔとによって第２位置決め部が構成されていても良い。この場合には、接続基板４ｂに延出部４ｆが形成されていなくても良い。また、第２位置決め部１９に加えて、ＬＥＤ駆動基板５と収容部８ａとによって構成される第２位置決め部が設けられていても良い。
【０１２８】
上述した形態では、接続基板４ｂの上側への移動を規制する規制部２０が、後端側接続部４ｇと２個のリブ８ｑとから構成されているが、中間接続部４ｊと２個のリブ８ｒとによって規制部が構成されていても良い。この場合には、中間接続部４ｊの幅Ｈ２は、２個のリブ８ｒの左右方向の距離Ｄ２よりも広くなっている。
【０１２９】
上述した形態では、導光板２に３個の凸部２ｆ、２ｇが形成されているが、導光板２に形成される凸部の数は、１個または２個であっても良いし、４個以上であっても良い。また、上述した形態において、ＬＥＤ実装基板４ａの反実装面４ｋと側面部８ｅとが接触していても良い。すなわち、ＬＥＤ実装基板４ａと側面部８ｅとの間に弾性部材１６が配置されていなくても良い。また、上述した形態において、弾性部材１６に代えて、あるいは、弾性部材１６に加えて、側面部８ｆと反射部７ｂとの間に弾性部材が配置されていても良い。
【０１３０】
上述した形態において、反射板７の自重によって上下方向、前後方向および左右方向へ収容部８ａに対して反射板７が動かないように反射板７を収容部８ａに嵌め込むことができるのであれば、反射部７ｂが側面部８ｆに所定の接触圧で接触していなくても良いし、反射部７ｃ、７ｄが側面部８ｇ、８ｈに所定の接触圧で接触していなくても良い。また、上述した形態において、反射板７に反射部７ｃ、７ｄが形成されていなくても良い。この場合には、反射部７ａの左右方向の両端面が所定の接触圧で側面部８ｇ、８ｈに接触していても良い。また、反射板７に反射部７ｂが形成されていなくても良い。この場合には、反射部７ａの前端面が所定の接触圧で側面部８ｆに接触していても良い。また、反射部７ｂ、７ｃ、７ｄが形成されていない場合には、導光板２の端面２ｂ、２ｃ、２ｂに光反射機能を有する塗装を行ったり、反射テープの貼着を行ったりして、端面２ｂ、２ｃ、２ｂに光反射部を形成することが好ましい。
【０１３１】
上述した形態では、切欠き部２ｈは、曲面部２ｐと２個の平面部２ｑ、２ｒとから構成されているが、切欠き部２ｈは、曲面部２ｐと１個の平面部とから構成されていても良い。同様に、切欠き部２ｊも、曲面部２ｓと２個の平面部２ｔ、２ｕとから構成されているが、切欠き部２ｊも、曲面部２ｓと１個の平面部とから構成されていても良い。また、上述した形態において、切欠き部２ｈ、２ｊの側面の全体が曲面部となっていても良いし、切欠き部２ｈ、２ｊの側面が平面のみの組合せで構成されていても良い。また、導光板２の角部にＣ面取り加工を行うことで、導光板２の角部に切欠き部２ｈ、２ｊが形成されていても良い。また、上述した形態において、拡散板６と収容部８ａとを固定するためのネジ１４の本数は、２本または３本であっても良いし、５本以上であっても良い。
【０１３２】
上述した形態において、上下方向から見たときの照明装置１の形状は、長方形状であっても良いし、長方形および正方形以外の四角形状であっても良いし、五角形、六角形あるいは八角形等の四角形以外の多角形状であっても良い。すなわち、導光板２および拡散板６は、長方形の平板状に形成されていても良いし、長方形および正方形以外の四角形の平板状に形成されていても良いし、五角形、六角形あるいは八角形等の四角形以外の多角形の平板状に形成されていても良い。
【０１３３】
上述した形態において、導光板２に凸部２ｆ、２ｇが形成されていなくても良い。また、上述した形態において、反射部７ａの後端面７ｅは、ＬＥＤ実装基板４ａに接触していなくても良い。また、上述した形態において、照明装置１は、第１位置決め部１８および第２位置決め部１９を備えていなくても良い。
【符号の説明】
【０１３４】
１  照明装置
２  導光板
２ａ  端面
２ｈ、２ｊ  切欠き部
２ｐ、２ｓ  曲面部
２ｑ、２ｔ、２ｕ  平面部
３  ＬＥＤ
６  拡散板
８  筐体
８ａ  収容部
１４  ネジ
Ｘ  第１方向
Ｙ  第２方向
Ｚ  扁平方向
【図１】
2018098120.tif 000003
【図２】
2018098120.tif 000004
【図３】
2018098120.tif 000005
【図４】
2018098120.tif 000006
【図５】
2018098120.tif 000007
【図６】
2018098120.tif 000008
【図７】
2018098120.tif 000009
【図８】
2018098120.tif 000010
【図９】
2018098120.tif 000011
【図１０】
2018098120.tif 000012
【図１１】
2018098120.tif 000013